(57)【要約】      （修正有）【課題】収納ボックスを使用しない時には、箱体全体を扁平にできる収納ボックスの構造を提供する。【解決手段】収納ボックスの構造は、相互に結合する上板１、下板、左側板３、右側板４、及び下板の前端に連接し、一方が固定された状態でめくり開けることができる前蓋６、上、下板、左、右側板３、４の後縁に連接する片体７を備え、上板１と前蓋６には嵌合部品１１、６１を設置し、片体７は伸縮性を備えるフレキシブル材質で、片体７底縁には、めくり開けることができるサポート片８を連接し、使用時には、サポート片８を上向きに垂直状とし、これにより上、下板及び左、右側板３、４を支え、収納ボックスを定位し、ボックス内に物品を入れることができ、使用しない時には、サポート片８を下向きに水平状とし、前蓋６を内側へと折り入れ、片体７の伸縮性により、ボックス体全体を扁平にすることができる。【選択図】図３
0003156534.tif 000002
【実用新案登録請求の範囲】
【請求項１】
上板、下板、左側板、右側板を備え、前記各板体は、それぞれ連接部品により相互に結合され、
前記前蓋は、前記下板の前端に連接し、一方が固定された状態でめくり開けることができ、
さらに、伸縮性を備え、その周縁は、それぞれ前記上板、前記下板、及び前記左側板、前記右側板の後縁に連接する片体を備え、前記片体底縁には、サポート片を連接し、
前記サポート片は、底縁を支点とし、垂直、水平にめくり開けることができ、
上記した構成部品の組合せにより、折畳み可能な収納ボックスを構成し、使用時には、前記サポート片を上向きに垂直状とし、これにより前記サポート片は、前記上板、前記下板、及び前記左側板、前記右側板を支え、こうして、収納ボックスは定位され、ボックス内に物品を入れることができ、
使用しない時には、前記サポート片を下向きに水平状とし、前記前蓋を内側へと折り入れ、それぞれ前記下板に密着させ、
前記片体の伸縮性により、ボックス体全体を扁平にし、体積を縮小して、占拠するスペースを節減し、収蔵と運搬の便を図ることを特徴とする収納ボックスの構造。
【請求項２】
前記上板内縁前方、及び前記前蓋内縁上方には、それぞれプラス嵌合部品とマイナス嵌合部品を設置し、これにより、前記前蓋を蓋合すると、前記嵌合部品の嵌合により、固定を形成することを特徴とする請求項１に記載の収納ボックスの構造。
【請求項３】
前記上板、前記下板、及び前記左側板、前記右側板はすべて、硬質の板体材料により製造することを特徴とする請求項１に記載の収納ボックスの構造。
【請求項４】
前記前蓋には、貫通孔を設置し、前記貫通孔には、プルリングを嵌めて設置し、これに手を引っ掛けて、前記前蓋を蓋合し、或いはめくり開けることを特徴とする請求項１に記載の収納ボックスの構造。
【考案の詳細な説明】
【技術分野】
【０００１】
本考案は収納ボックスの構造に関し、特に使用しない時には、箱体全体を扁平にできるため場所をとらず、こうして収蔵と運搬の利便性を向上させる収納ボックスの構造に関する。
【背景技術】
【０００２】
各種物品を収納する収納ボックスは、通常は、基礎となる枠フレームを設置し、枠フレームを木材、プラスチック、或いは布などの外層で覆い、前方には蓋体を設置するものである。
【０００３】
上記した従来の収納ボックスは、固定式の構造で、使用に当たっては自身で組み立てることができるが、一旦組み立ててしまえば、使用しない時にも折畳むことはできない。
しかし、収納ボックス全体の体積は大きいため、非常に大きなスペースを占拠し、しかも携帯、運搬に不便である。
そう言っても、もし分解してしまえば、再度使用する際には、再び時間をかけて組み立てる必要があり、非常に面倒である。
本考案は、従来の収納ボックスの構造の上記した欠点に鑑みてなされたものである。
【考案の概要】
【考案が解決しようとする課題】
【０００４】
本考案が解決しようとする課題は、収納ボックスを使用しない時には、箱体全体を扁平にできるため場所をとらず、こうして収蔵と運搬の利便性を向上させ、収納ボックスの実用的価値を向上させることができる収納ボックスの構造を提供することである。
【課題を解決するための手段】
【０００５】
上記課題を解決するため、本考案は下記の収納ボックスの構造を提供する。
収納ボックスの構造は、相互に結合する上板、下板、左側板、右側板、及び該下板の前端に連接し、一方が固定された状態でめくり開けることができる前蓋、該上、下板、該左、右側板の後縁に連接する片体を備え、
該片体は伸縮性を備えるフレキシブル材質で、該片体底縁には、めくり開けることができるサポート片を連接し折畳み可能な収納ボックスを構成し、
使用時には、該サポート片を上向きに垂直状とし、これにより該上、下板、及び該左、右側板を支え、収納ボックスを定位し、ボックス内に物品を入れることができ、
使用しない時には、該サポート片を下向きに水平状とし、該前蓋を内側へと折り入れ、該片体の伸縮性により、ボックス体全体を扁平にすることができ、
該上板の内縁前方、及び前蓋の内縁上方には、それぞれプラス、マイナス嵌合部品を設置し、該前蓋を蓋合する時には、該嵌合部品の嵌合により固定を形成し、
該前蓋には、貫通孔を設置し、該貫通孔には、プルリングを嵌めて設置し、これに手を引っ掛けて、該前蓋を蓋合し、或いはめくり開けることができる。
【考案の効果】
【０００６】
本考案収納ボックスの構造は、収納ボックスを使用しない時には、箱体全体を扁平にできるため場所をとらず、こうして収蔵と運搬の利便性を向上させ、収納ボックスの実用的価値を向上させることができる。
【図面の簡単な説明】
【０００７】
【図１】本考案の立体図である。
【図２】本考案の立体図である。
【図３】本考案の立体分解図である。
【図４】本考案の断面図である。
【図５】本考案において、折畳みを実施する様子を示す模式図である。
【考案を実施するための形態】
【０００８】
以下に図面を参照しながら本考案を実施するための最良の形態について詳細に説明する。
【０００９】
本考案の立体図、及び立体分解図である図１、２、３に示すように、本考案収納ボックスの構造は、硬質の上板１、下板２、左側板３、右側板４を備え、各板体は、それぞれ連接部品５により相互に結合する。
本実施例では、布により、各板体の辺縁を包み、ミシン或いは粘着の方式により結合する。
上板１内縁前方の適当な位置には、プラス嵌合部品１１を設置する。
【００１０】
前蓋６は、下板２の前端に連接し、一方が固定された状態でめくり開けることができる。
前蓋６内縁上方には、上板１のプラス嵌合部品１１と対応するマイナス嵌合部品６１を設置し、適当な位置には、貫通孔６２を設置する。
貫通孔６２には、プルリング６３を嵌めて設置する。
片体７は、伸縮性を備えるフレキシブル材質(ネオプレンなど)で、その周縁は、それぞれ上板１、下板２、及び左側板３、右側板４の後縁に連接する。
片体７底縁には、サポート片８を連接し、サポート片８は、底縁を支点とし、垂直、水平にめくり開けることができる。
【００１１】
上記した構成部品の組合せにより、折畳み可能な収納ボックスを構成する。
使用時には、サポート片８を上向きに垂直状とし、これによりサポート片８は、上板１、下板２、及び左側板３、右側板４を支える。
こうして、収納ボックスは定位される。
ボックス内に物品を入れた後は、手を貫通孔６２に通して、プルリング６３に引っ掛け、前蓋６を蓋合させ、及びプラス、マイナス嵌合部品１１、６１を嵌合させる。
こうして、物品の収納を完了することができる。
使用しない時には、サポート片８を下向きに水平状とし、下板２に密着させる。
さらに、前蓋６を内側へと折り入れ、同様に、下板２に密着させる。
こうして、片体７の伸縮性により、ボックス体全体を扁平にし、体積を縮小して、占拠するスペースを節減し、収蔵と運搬の便を図る。
【００１２】
本考案の断面図である図４に示すように、本考案のサポート片８は、後方に設置する片体７に連結し、これにより、底縁を支点として、垂直、水平にめくり開けることができる形状とする。
同様に、前蓋６は、下板２の前端に連接し、めくり開けることができる形状とする。
こうして使用時には、サポート片８及び前蓋６を、それぞれ上方へと垂直状とし、しかもプラス、マイナス嵌合部品１１、６１を嵌合し、完全なボックス体とする。
使用しない時には、サポート片８及び前蓋６を、それぞれ下向きにし下板２に水平に密着させ、こうしてボックス体全体を扁平にすることができる。
【００１３】
本考案において、折畳みを実施する様子を示す模式図である図５に、図４を合わせて示すように、本考案は使用しない時には、収蔵のための空間を節減し、運搬、携帯の便を図る。
そのために、サポート片８を下向きにし水平状とし、下板２に密着させ、前蓋６を内側へと折り入れ、同様に、下板２に密着させる。
こうして、上板１、下板２、及び左側板３、右側板４は枠状を形成し、使用者は、それを押しつぶし、片体７の伸縮性により、ボックス体全体を扁平にすることができる。
押しつぶす過程において、上板１と左側板３、右側板４は、それぞれ片側へ傾斜した後、下に向かい扁平状となる。
こうして、複数のボックス体を積み重ねて収蔵することができるため、場所をとらず、便利で、運搬の利便性をも向上させることができる。
【００１４】
上記した実施例中の各板体と片体は、あらゆる硬質及び軟質の伸縮可能材料により製造することができる。よって、上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案は実用新案の要件である新規性を備え、従来の同類製品に比べ十分な進歩を有し、実用性が高く、社会のニーズに合致しており、産業上の利用価値は非常に大きい。
【符号の説明】
【００１６】
１  上板
１１  プラス嵌合部品
２  下板
３  左側板
４  右側板
５  連接部品
６  前蓋
６１  マイナス嵌合部品
６２  貫通孔
６３  プルリング
７  片体
８  サポート片
【図１】
0003156534.tif 000003
【図２】
0003156534.tif 000004
【図３】
0003156534.tif 000005
【図４】
0003156534.tif 000006
【図５】
0003156534.tif 000007